(57)【要約】【課題】いずれの測定対象についての測定結果であるかを確実かつ容易に認識させる。【解決手段】識別符号を示す識別符号表示が配設されて測定対象の一例である壁面に設置された測定用センサを撮像した撮像データを画像解析処理して識別符号表示の識別符号を特定する第１処理と、測定用センサに付与された識別符号を測定用センサに関連付けて記録した関連付けデータに基づき、第１処理によって特定した識別符号が付与されている測定用センサが設置された壁面を特定する第２処理と、壁面の像ＰＸａ〜ＰＸｃを測定結果表示画面３０に表示させると共に、測定用センサを介して測定された測定結果を示す測定結果データに基づき、第１処理によって特定した識別符号が付与されている測定用センサによる測定結果表示３１ａ〜３１ｃを、第２処理によって特定した壁面の像ＰＸａ〜ＰＸｃに対応させて測定結果表示画面３０に表示させる第３処理とを実行する。【選択図】図４
2015031681.tif 000002
【特許請求の範囲】
【請求項１】
測定対象を示す測定対象像の画像データ、測定用センサに付与された識別符号を当該測定用センサに関連付けて記録した関連付けデータ、および前記測定用センサを介して測定された前記測定対象についての測定結果を示す測定結果データを記憶する記憶部と、
前記識別符号を示す識別符号表示が配設されると共に前記測定対象に設置された前記測定用センサを撮像した撮像データを出力可能な撮像部と、
前記測定結果データに基づく前記測定結果を測定結果表示画面に表示させる測定結果表示処理を実行する処理部とを備え、
前記処理部は、前記測定結果表示処理において、前記撮像部から出力された前記撮像データを画像解析処理して当該撮像部によって撮像された前記識別符号表示の前記識別符号を特定する第１処理と、当該第１処理によって特定した前記識別符号が付与されている前記測定用センサが設置された前記測定対象を前記関連付けデータに基づいて特定する第２処理と、前記画像データに基づく前記測定対象像を前記測定結果表示画面に表示させると共に、前記測定結果データに基づき、前記第１処理によって特定した前記識別符号が付与されている前記測定用センサによる前記測定結果を、前記第２処理によって特定した前記測定対象の前記測定対象像に対応させて前記測定結果表示画面に表示させる第３処理とを実行する測定結果表示装置。
【請求項２】
前記測定用センサに対する当該測定結果表示装置の位置の変化を検出する位置検出部と、
前記測定用センサに対する当該測定結果表示装置の姿勢の変化を検出する姿勢検出部とを備え、
前記処理部は、前記測定結果表示処理において、前記位置検出部によって前記位置の変化が検出されたときに、検出された当該位置の変化に対応させて前記測定対象像の大きさを変化させると共に、前記姿勢検出部によって前記姿勢の変化が検出されたときに、検出された当該姿勢の変化に対応させて前記測定対象像の表示位置を変化させる請求項１記載の測定結果表示装置。
【請求項３】
前記処理部は、前記測定結果表示処理において、前記測定対象像における前記識別符号表示の位置に対応させて前記測定結果表示画面に前記測定結果を表示させる請求項１または２記載の測定結果表示装置。
【請求項４】
第１外部装置と通信可能な第１通信部を備え、
前記処理部は、前記測定結果表示処理において、前記第１通信部を制御して前記測定結果データの送信を要求する送信要求信号を前記第１外部装置に向けて送信させると共に、当該第１外部装置から送信された当該測定結果データを前記記憶部に記憶させる測定結果データ取得処理を実行する請求項１から３のいずれかに記載の測定結果表示装置。
【請求項５】
第２外部装置と通信可能な第２通信部を備え、
前記処理部は、前記測定結果を前記測定対象像に対応させて表示させた前記測定結果表示画面の画面データを生成すると共に前記第２通信部を制御して当該画像データを前記第２外部装置に向けて送信させる画面データ送信処理を実行する請求項１から４のいずれかに記載の測定結果表示装置。
【請求項６】
請求項１から５のいずれかに記載の測定結果表示装置と、
前記測定用センサを介して前記測定対象の物理量を測定して前記測定結果データを生成し、生成した当該測定結果データを前記測定用センサに配設されている前記識別符号表示の前記識別符号に関連付けて出力する測定装置とを備えて構成されている測定システム。
【請求項７】
測定用センサを介して測定された測定対象についての測定結果を示す測定結果データに基づいて当該測定対象についての当該測定結果を測定結果表示画面に表示させる測定結果表示処理を測定結果表示装置の処理部に実行させる測定結果表示用プログラムであって、
前記測定結果表示処理として、付与された識別符号を示す識別符号表示が配設されると共に前記測定対象に設置された前記測定用センサを撮像した撮像データを画像解析処理して撮像された当該識別符号表示の当該識別符号を特定する第１処理と、前記測定用センサに付与された前記識別符号が当該測定用センサに関連付けて記録された関連付けデータに基づき、前記第１処理によって特定された前記識別符号が付与されている前記測定用センサが設置された前記測定対象を特定する第２処理と、前記測定対象を示す測定対象像の画像データに基づいて当該測定対象像を前記測定結果表示画面に表示させると共に、前記測定結果データに基づき、前記第１処理によって特定された前記識別符号が付与されている前記測定用センサの前記測定結果を、前記第２処理によって特定された前記測定対象の前記測定対象像に対応させて前記測定結果表示画面に表示させる第３処理とを前記処理部に実行させる手順が記録されている測定結果表示用プログラム。
【発明の詳細な説明】
【技術分野】
【０００１】
本発明は、測定結果データに基づく測定結果を測定結果表示画面に表示させる測定結果表示処理を実行可能に構成された測定結果表示装置、そのような測定結果表示装置を備えて構成された測定システム、および測定結果表示装置の処理部に測定結果表示処理を実行させる測定結果表示用プログラムに関するものである。
【背景技術】
【０００２】
例えば、特開２００８−１７５６５８号公報には、計測端子および計測回路の組合せ（以下、これらの組合せについて「計測ＣＨ」ともいう）を複数有する外付け計測器（以下、単に「計測器」ともいう）を接続可能に構成されて各計測ＣＨ毎の計測結果を表示器に表示可能な表示計器が開示されている。この場合、この表示計器では、上記の計測結果を本体側表示器に表示させるのと同時にネットワーク経由で外付け表示器に表示用のデータ出力することにより、本体側表示器に表示させている計測結果と同様の計測結果を外付け表示器にも表示させることができるように構成されている。
【０００３】
この表示計器を用いて、例えば、３つの計測対象の温度を計測して計測結果（温度）を各表示器に表示させるには、計測器の計測端子（熱電対）を各計測対象にそれぞれ配設する。次いで、３つの計測端子のうちの１つの計測ＣＨを「１ｃｈ」とし、他の１つの計測ＣＨを「２ｃｈ」とし、さらに他の１つの計測ＣＨを「３ｃｈ」として温度計測処理を実行する。この際には、各計測ＣＨ毎の計測結果を示すデータが計測器から画像処理回路に出力され、画像処理回路が、計測器から出力されたデータに基づき、計測結果の表示画面（以下、「計測結果表示画面」ともいう）を表示させるためのデータを生成して各表示器に出力する。これにより、各計測ＣＨ毎の計測結果（この例では、計測された温度）が、計測ＣＨを示す「１ｃｈ」〜「３ｃｈ」との文字列と共に各表示器の計測結果表示画面内にグラフ表示される。
【先行技術文献】
【特許文献】
【０００４】
【特許文献１】特開２００８−１７５６５８号公報（第５−７頁、第１−６図）
【発明の概要】
【発明が解決しようとする課題】
【０００５】
ところが、従来の表示計器には、以下の解決すべき問題点が存在する。すなわち、従来の表示計器では、各計測ＣＨ毎の計測結果を、計測ＣＨを示す「１ｃｈ」〜「３ｃｈ」等の文字列と共に各表示器の計測結果表示画面にグラフ表示させる構成が採用されている。これにより、従来の表示計器によれば、計測対象Ａ〜Ｃのうちの計測対象Ａに配設した計測端子（熱電対）の計測ＣＨを「１ｃｈ」とし、計測対象Ｂに配設した計測端子（熱電対）の計測ＣＨを「２ｃｈ」とし、かつ計測対象Ｃに配設した計測端子（熱電対）の計測ＣＨを「３ｃｈ」として計測処理を実行したときに、「１ｃｈ」との文字列と共に表示されているグラフを読み取ることで「１ｃｈ」との計測ＣＨの測定結果（温度）を把握し、「２ｃｈ」との文字列と共に表示されているグラフを読み取ることで「２ｃｈ」との計測ＣＨの測定結果（温度）を把握し、かつ「３ｃｈ」との文字列と共に表示されているグラフを読み取ることで「３ｃｈ」との計測ＣＨの測定結果（温度）を把握することが可能となっている。
【０００６】
しかしながら、従来の表示計器では、各計測端子の計測ＣＨを「１ｃｈ」〜「３ｃｈ」のいずれとしたかを記憶するか、または書き留めておかない限り、計測結果表示画面にグラフ表示されている温度（計測結果）が、いずれの計測端子を介して測定された温度であるかを特定することができない。また、各計測端子の計測ＣＨを「１ｃｈ」〜「３ｃｈ」のいずれとしたかを覚えていたとしても、各計測端子を計測対象Ａ〜Ｃのいずれに設置したかを記憶するか、または書き留めておかない限り、計測結果表示画面にグラフ表示されている温度（計測結果）が各計測対象Ａ〜Ｃのいずれについて測定された温度であるかを特定することができない。このため、従来の表示計器では、各計測対象Ａ〜Ｃの温度を正しく認識するのが困難となっており、この点を解決する必要がある。
【０００７】
本発明は、かかる問題点に鑑みてなされたものであり、いずれの測定対象についての測定結果であるかを確実かつ容易に認識可能に表示し得る測定結果表示装置、測定システムおよび測定結果表示用プログラムを提供することを主目的とする。
【課題を解決するための手段】
【０００８】
上記目的を達成すべく請求項１記載の測定結果表示装置は、測定対象を示す測定対象像の画像データ、測定用センサに付与された識別符号を当該測定用センサに関連付けて記録した関連付けデータ、および前記測定用センサを介して測定された前記測定対象についての測定結果を示す測定結果データを記憶する記憶部と、前記識別符号を示す識別符号表示が配設されると共に前記測定対象に設置された前記測定用センサを撮像した撮像データを出力可能な撮像部と、前記測定結果データに基づく前記測定結果を測定結果表示画面に表示させる測定結果表示処理を実行する処理部とを備え、前記処理部は、前記測定結果表示処理において、前記撮像部から出力された前記撮像データを画像解析処理して当該撮像部によって撮像された前記識別符号表示の前記識別符号を特定する第１処理と、当該第１処理によって特定した前記識別符号が付与されている前記測定用センサが設置された前記測定対象を前記関連付けデータに基づいて特定する第２処理と、前記画像データに基づく前記測定対象像を前記測定結果表示画面に表示させると共に、前記測定結果データに基づき、前記第１処理によって特定した前記識別符号が付与されている前記測定用センサによる前記測定結果を、前記第２処理によって特定した前記測定対象の前記測定対象像に対応させて前記測定結果表示画面に表示させる第３処理とを実行する。
【０００９】
また、請求項２記載の測定結果表示装置は、請求項１記載の測定結果表示装置において、前記測定用センサに対する当該測定結果表示装置の位置の変化を検出する位置検出部と、前記測定用センサに対する当該測定結果表示装置の姿勢の変化を検出する姿勢検出部とを備え、前記処理部は、前記測定結果表示処理において、前記位置検出部によって前記位置の変化が検出されたときに、検出された当該位置の変化に対応させて前記測定対象像の大きさを変化させると共に、前記姿勢検出部によって前記姿勢の変化が検出されたときに、検出された当該姿勢の変化に対応させて前記測定対象像の表示位置を変化させる。
【００１０】
さらに、請求項３記載の測定結果表示装置は、請求項１または２記載の測定結果表示装置において、前記処理部は、前記測定結果表示処理において、前記測定対象像における前記識別符号表示の位置に対応させて前記測定結果表示画面に前記測定結果を表示させる。
【００１１】
また、請求項４記載の測定結果表示装置は、請求項１から３のいずれかに記載の測定結果表示装置において、第１外部装置と通信可能な第１通信部を備え、前記処理部は、前記測定結果表示処理において、前記第１通信部を制御して前記測定結果データの送信を要求する送信要求信号を前記第１外部装置に向けて送信させると共に、当該第１外部装置から送信された当該測定結果データを前記記憶部に記憶させる測定結果データ取得処理を実行する。
【００１２】
さらに、請求項５記載の測定結果表示装置は、請求項１から４のいずれかに記載の測定結果表示装置において、第２外部装置と通信可能な第２通信部を備え、前記処理部は、前記測定結果を前記測定対象像に対応させて表示させた前記測定結果表示画面の画面データを生成すると共に前記第２通信部を制御して当該画像データを前記第２外部装置に向けて送信させる画面データ送信処理を実行する。
【００１３】
また、請求項６記載の測定システムは、請求項１から５のいずれかに記載の測定結果表示装置と、前記測定用センサを介して前記測定対象の物理量を測定して前記測定結果データを生成し、生成した当該測定結果データを前記測定用センサに配設されている前記識別符号表示の前記識別符号に関連付けて出力する測定装置とを備えて構成されている。
【００１４】
また、請求項７記載の測定結果表示用プログラムは、測定用センサを介して測定された測定対象についての測定結果を示す測定結果データに基づいて当該測定対象についての当該測定結果を測定結果表示画面に表示させる測定結果表示処理を測定結果表示装置の処理部に実行させる測定結果表示用プログラムであって、前記測定結果表示処理として、付与された識別符号を示す識別符号表示が配設されると共に前記測定対象に設置された前記測定用センサを撮像した撮像データを画像解析処理して撮像された当該識別符号表示の当該識別符号を特定する第１処理と、前記測定用センサに付与された前記識別符号が当該測定用センサに関連付けて記録された関連付けデータに基づき、前記第１処理によって特定された前記識別符号が付与されている前記測定用センサが設置された前記測定対象を特定する第２処理と、前記測定対象を示す測定対象像の画像データに基づいて当該測定対象像を前記測定結果表示画面に表示させると共に、前記測定結果データに基づき、前記第１処理によって特定された前記識別符号が付与されている前記測定用センサの前記測定結果を、前記第２処理によって特定された前記測定対象の前記測定対象像に対応させて前記測定結果表示画面に表示させる第３処理とを前記処理部に実行させる手順が記録されている。
【発明の効果】
【００１５】
請求項１記載の測定結果表示装置では、処理部が、測定結果表示処理において、撮像データを画像解析処理して識別符号表示の識別符号を特定する第１処理と、特定した識別符号が付与されている測定用センサが設置された測定対象を関連付けデータに基づいて特定する第２処理と、測定対象を示す測定対象像を測定結果表示画面に表示させると共に、測定結果データに基づき、第１処理によって特定した識別符号が付与されている測定用センサによる測定結果を、第２処理によって特定した測定対象の測定対象像に対応させて測定結果表示画面に表示させる第３処理とを実行する。
【００１６】
また、請求項６記載の測定システムでは、上記の測定結果表示装置と、測定用センサを介して測定対象の物理量を測定して測定結果データを生成し、生成した測定結果データを測定用センサに配設されている識別符号表示の識別符号に関連付けて出力する測定装置とを備えて構成されている。
【００１７】
さらに、請求項７記載の測定結果表示用プログラムでは、測定結果表示処理として、識別符号表示が配設された測定用センサを撮像した撮像データを画像解析処理して識別符号表示の識別符号を特定する第１処理と、特定された識別符号が付与されている測定用センサが設置された測定対象を関連付けデータに基づいて特定する第２処理と、測定対象を示す測定対象像を測定結果表示画面に表示させると共に、測定結果データに基づき、第１処理によって特定された識別符号が付与されている測定用センサの測定結果を、第２処理によって特定された測定対象の測定対象像に対応させて測定結果表示画面に表示させる第３処理とを測定結果表示装置の処理部に実行させる手順が記録されている。
【００１８】
したがって、請求項１記載の測定結果表示装置、請求項６記載の測定システムおよび請求項７記載の測定結果表示用プログラムによれば、測定結果表示画面に表示されている各測定結果が、いずれの測定対象についての測定結果を示しているかを確実かつ容易に認識させることができる。これにより、この測定結果表示装置、測定システムおよび測定結果表示用プログラムによれば、この種の測定装置や測定結果表示装置の操作に不慣れな利用者であっても、各測定対象についての測定結果を確実かつ容易に把握することができる。
【００１９】
また、請求項２記載の測定結果表示装置によれば、測定結果表示処理において、測定用センサに対する測定結果表示装置の位置の変化が検出されたときに、検出された位置の変化に対応させて測定対象像の大きさを変化させると共に、測定用センサに対する測定結果表示装置の姿勢の変化が検出されたときに、検出された姿勢の変化に対応させて測定対象像の表示位置を変化させることにより、例えば、測定結果表示画面内の測定対象像等を拡大・縮小させたりスクロールさせたりする操作（測定結果表示画面に対するピンチイン操作、ピンチアウト操作およびスライド操作等）を行うことなく、識別符号表示が貼付された測定用センサに対して測定結果表示装置を接近または離間させたり、測定用センサに対する測定結果表示装置の姿勢（向き等）を変更したりするだけで、測定用センサ（識別符号表示）に対する位置や姿勢の変化に対応して測定結果表示画面内の測定対象像や測定結果の大きさ、および表示位置を変化させることができるため、恰も、測定結果表示画面内に現実の測定対象や測定用センサが存在しているかのような極く自然な感覚で測定結果表示画面内の測定対象像や測定結果を拡大・縮小させたり移動させたりすることができる。したがって、この種の装置の操作に不慣れな利用者であっても、一層確実、かつ一層容易に測定結果を得ることができる。
【００２０】
さらに、請求項３記載の測定結果表示装置によれば、測定結果表示処理において、測定対象像における識別符号表示の位置に対応させて測定結果表示画面に測定結果を表示させることにより、測定対象と、その測定対象についての測定結果との関係を誤認させることなく、各測定対象についての測定結果を直感的に把握させることができる。
【００２１】
また、請求項４記載の測定結果表示装置によれば、測定結果表示処理において、処理部が測定結果データを第１外部装置から送信させて取得する測定結果データ取得処理を実行することにより、例えば、測定対象の数が多数で、測定結果データが多数存在する場合であっても、測定結果表示処理に際して、必要な測定結果データを第１外部装置から取得して記憶部に記憶させればよいため、測定結果表示装置の記憶部における貴重な記憶領域が、測定結果表示処理において使用することのない多数の測定結果データによって占有されて、他の各種データを記憶可能な記憶領域が不足する事態を回避することができる。
【００２２】
さらに、請求項５記載の測定結果表示装置によれば、処理部が、測定結果を測定対象像に対応させて表示させた測定結果表示画面の画面データを生成すると共に、第２通信部を制御して画像データを第２外部装置に向けて送信させる画面データ送信処理を実行することにより、測定用センサに貼付されている識別符号表示の像を撮像可能な場所、すなわち、測定用センサが設置されている測定対象が存在する測定処理の現場において、測定結果表示装置の測定結果表示画面に表示させた測定結果と同様の情報を表示（または印刷）し得る画像データを生成することができるため、測定処理から、測定結果を把握可能な情報（画像データ）の生成作業までの一連の作業のすべて測定現場において実行することができる。
【図面の簡単な説明】
【００２３】
【図１】測定システム１００の構成を示す構成図である。
【図２】居室Ｘ（壁面Ｘａ〜Ｘｃ）に対する測定用センサ１１ａ〜１１ｃの設置態様の一例について説明するための説明図である。
【図３】壁面Ｘａ〜Ｘｃに測定用センサ１１ａ〜１１ｃを設置した状態の居室Ｘを撮像した撮像データＤ２の像（像ＰＸ）を測定結果表示画面３０に表示させた状態の表示画面図である。
【図４】図３に示す測定結果表示画面３０の像ＰＸにおける壁面Ｘａ〜Ｘｃの像ＰＸａ〜ＰＸｃに対応させて各測定用センサ１１ａ〜１１ｃの測定結果を示す測定結果表示３１ａ〜３１ｃを表示させた状態の表示画面図である。
【図５】結果報告用データＤ４に基づいて印刷（または表示）される報告書の一例について説明するための説明図である。
【発明を実施するための形態】
【００２４】
以下、本発明に係る測定結果表示装置、測定システムおよび測定結果表示用プログラムの実施の形態について、添付図面を参照して説明する。
【００２５】
図１に示す測定システム１００は、「測定システム」の一例であって、測定装置１、携帯情報端末２、およびデータサーバ３を備え、「測定対象」についての任意の「物理量」を測定して測定結果を表示することができるように構成されている。なお、「測定結果表示装置」、「測定システム」および「測定結果表示用プログラム」の発明についての理解を容易とするために、一例として、以下の説明では、図２に示す居室Ｘの壁面Ｘａ〜Ｘｃを「測定対象」とし、かつ「物理量」として壁面Ｘａ〜Ｘｃの「温度（壁際の空気の温度）」を測定するものとする。
【００２６】
測定装置１は、「測定装置」および「第１外部装置」の一例であって、上記したように「物理量」の一例である「温度」を測定し、その測定結果を示す測定結果データＤ１を生成可能に構成されている。具体的には、図１に示すように、測定装置１は、測定用センサ１１ａ，１１ｂ・・１１ｎ、測定部１２、通信部１３ａ，１３ｂ、処理部１４および記憶部１５を備えている。
【００２７】
測定用センサ１１ａ，１１ｂ・・１１ｎ（「測定用センサ」の一例：以下、区別しないときには「測定用センサ１１」ともいう）は、測定部１２に接続されると共に「測定対象」に設置され、設置された「測定対象」の温度に対応するセンサ信号Ｓを測定部１２に出力する。なお、測定部１２に接続する測定用センサ１１の数（すなわち、「測定ＣＨ」の数）は、特に限定されるものではないが、上記したように壁面Ｘａ〜Ｘｃの３つを「測定対象」として「温度」をそれぞれ測定する本例では、測定用センサ１１ａ〜１１ｃの３つが測定部１２に接続されているものとする。また、図２に示すように、本例では、居室Ｘの天井面近傍の壁面Ｘａに測定用センサ１１ａが設置され、居室Ｘの床面近傍の壁面Ｘｂに測定用センサ１１ｂが設置され、かつ居室Ｘの窓際の壁面Ｘｃに測定用センサ１１ｃが設置されるものとする。
【００２８】
この場合、本例では、一例として、測定用センサ１１ａに付与された「識別符号」を示すバーコードラベルＬａが測定用センサ１１ａのケーシングに貼付され、測定用センサ１１ｂに付与された「識別符号」を示すバーコードラベルＬｂが測定用センサ１１ｂのケーシングに貼付され、かつ測定用センサ１１ｃに付与された「識別符号」を示すバーコードラベルＬｃが測定用センサ１１ｃを測定部１２に接続するための信号ケーブルに貼付されている。なお、この例では、測定用センサ１１ａ，１１ｂのケーシングにバーコードラベルＬａ，Ｌｂを貼付した状態、および測定用センサ１１ｃの信号ケーブルにバーコードラベルＬｃを貼付した状態が「識別符号表示が測定用センサに配設された状態」に相当する。
【００２９】
この場合、バーコードラベルＬａ〜Ｌｃ（「識別符号表示」の一例：以下、区別しないときには「バーコードラベルＬ」ともいう）は、各測定用センサ１１毎に個別的に付与された「識別符号（一例として、英数字で構成された管理番号）」を表す模様（バーコード）が印刷されたラベルで構成されている。なお、「識別符号表示」については、測定システム１００専用のバーコードラベルＬに限定されず、各測定用センサ１１等に予め貼付されているバーコードラベルや、印刷されているバーコードを使用することもできる。
【００３０】
測定部１２は、処理部１４の制御に従い、各測定用センサ１１から出力されたセンサ信号Ｓに基づき、測定用センサ１１が配設されている「測定対象（本例では、壁面Ｘａ〜Ｘｃ）」の温度を示す測定値データＤ０を生成して処理部１４に出力する。通信部１３ａは、一例として、ブルートゥース等の近距離無線通信規格に準ずる無線通信が可能な通信アダプタで構成されている。この通信部１３ａは、処理部１４の制御に従い、携帯情報端末２などの各種無線通信機器との間で各種のデータを送受信する。通信部１３ｂは、インターネット通信網等の通信ネットワークＮに接続可能な通信アダプタで構成されている。この通信部１３ｂは、処理部１４の制御に従い、通信ネットワークＮを介して携帯情報端末２やデータサーバ３などの電子機器との間で各種のデータを送受信する。
【００３１】
処理部１４は、測定装置１を総括的に制御する。具体的には、処理部１４は、測定部１２を制御して「測定対象」の温度を測定する測定処理を実行させると共に、測定部１２から出力される測定値データＤ０、および後述するように携帯情報端末２において生成されて記憶部１５に記憶される識別符号特定用データＤｘに基づき、各測定用センサ１１の測定結果（測定値データＤ０の値）を、その測定値データＤ０を出力した測定用センサ１１に対して付与されている上記の「識別符号」に関連付けて記録した測定結果データＤ１を生成して記憶部１５に記憶させる。また、処理部１４は、後述するように携帯情報端末２からの測定結果データＤ１の送信要求に応じて通信部１３ａから携帯情報端末２に測定結果データＤ１を送信させる。さらに、処理部１４は、通信ネットワークＮを介して通信部１３ｂからデータサーバ３に測定結果データＤ１を送信して記憶させる。記憶部１５は、識別符号特定用データＤｘや測定結果データＤ１などを記憶する。
【００３２】
また、携帯情報端末２は、「測定結果表示装置」に相当し、一例として、測定結果表示用プログラムＤｐ（「測定結果表示用プログラム」の一例）をインストールした既存のスマートフォンや、測定結果表示用プログラムＤｐをインストールした既存のタブレット端末等の情報端末で構成されている。この場合、広義には、「スマートフォン」は「ＰＤＡ（携帯情報端末）の機能が備わった携帯電話」を意味し、「タブレット端末」は「タッチパネル等のポインティングデバイスと表示装置とを備えた携帯情報端末」を意味するが、本明細書では、この広義の「スマートフォン」および広義の「タブレット端末」のうちの「各種プログラムのインストールによって任意の機能を付加したり、端末の操作環境や表示環境等をカスタマイズしたりすることができるもの」を「スマートフォン」や「タブレット端末」という。
【００３３】
この携帯情報端末２は、図１に示すように、カメラ２１、Ｇセンサ２２、通信部２３ａ，２３ｂ、操作部２４、表示部２５、処理部２６および記憶部２７を備えている。なお、実際の携帯情報端末２は、上記の各構成要素２１〜２７の他に、「スマートフォン」や「タブレット端末」としての機能を実現するための各種の構成要素を備えているが、「測定結果表示装置」の構成に関する理解を容易とするために、上記の各構成要素２１〜２７以外の構成要素についての図示および説明を省略する。カメラ２１は、「撮像部」に相当し、「撮像対象（居室Ｘ（壁面Ｘａ〜Ｘｃ））」等を撮像した撮像データＤ２を生成して処理部２６に出力する。Ｇセンサ２２は、一例として、Ｘ方向、Ｙ方向およびＺ方向の３方向への携帯情報端末２の加速度をそれぞれ測定して携帯情報端末２の姿勢の変化を特定可能な加速度データＤ３を出力する３軸加速度センサで構成されている。
【００３４】
通信部２３ａは、「第１通信部」に相当し、一例として、前述した測定装置１の通信部１３ａと同様にしてブルートゥース等の近距離無線通信規格に準ずる無線通信が可能な通信アダプタで構成されている。この通信部２３ａは、後述するように、処理部２６の制御に従い、識別符号特定用データＤｘ等を測定装置１に送信する送信処理、測定結果データＤ１の送信を要求する送信要求信号を測定装置１に送信する送信処理、および測定装置１から送信された測定結果データＤ１を受信する受信処理などを実行する。
【００３５】
通信部２３ｂは、「第２通信部」に相当し、一例として、前述した測定装置１の通信部１３ｂと同様にしてインターネット通信網等の通信ネットワークＮに接続可能な通信アダプタで構成されている。この通信部２３ｂは、後述するように、処理部２６の制御に従い、「第２外部装置」の一例であるデータサーバ３に結果報告用データＤ４等を送信する送信処理を実行する。また、本例の携帯情報端末２では、通信部２３ｂが通信部２３ａに代わって識別符号特定用データＤｘや測定結果データＤ１の送受信処理を実行することもできるように構成されている。
【００３６】
操作部２４は、表示部２５の前面側に配設されたタッチパネルや、携帯情報端末２を「スマートフォン」または「タブレット端末」としての機能させるための各種の操作スイッチを備え、操作に応じた操作信号を処理部２６に出力する。表示部２５は、一例として液晶表示パネルを備え、処理部２６の制御に従い、測定結果表示画面３０（図３，４参照）などの各種の表示画面を表示する。
【００３７】
処理部２６は、「処理部」の一例であって、携帯情報端末２を総括的に制御する。具体的には、処理部２６は、後述するように、測定結果表示用プログラムＤｐの記述に従って識別符号特定用データＤｘを生成して記憶部２７に記憶させる。この場合、識別符号特定用データＤｘは、「関連付けデータ」の一例であって、前述した測定装置１における各測定用センサ１１に対して個別的に付与されている「識別番号」を各測定用センサ１１に関連付けて記録したデータで構成されている。
【００３８】
具体的には、識別符号特定用データＤｘは、一例として、後述するように、居室Ｘの壁面Ｘａ〜Ｘｃに測定用センサ１１ａ〜１１ｃを設置する際に、作業者が携帯情報端末２を操作することにより、測定用センサ１１ａに対して付与されている「識別番号」を、測定用センサ１１ａを接続した測定部１２の測定ＣＨ（一例として、「ＣＨ１」）に関連付けて記録し、測定用センサ１１ｂに対して付与されている「識別番号」を、測定用センサ１１ｂを接続した測定部１２の測定ＣＨ（一例として、「ＣＨ２」）に関連付けて記録し、かつ測定用センサ１１ｃに対して付与されている「識別番号」を、測定用センサ１１ｃを接続した測定部１２の測定ＣＨ（一例として、「ＣＨ３）に関連付けて記録することで生成される。
【００３９】
また、処理部２６は、通信部２３ａ（または通信部２３ｂ）を制御して測定装置１に識別符号特定用データＤｘを送信して記憶させる。さらに、処理部２６は、通信部２３ａ（または通信部２３ｂ）を制御して測定装置１から測定結果データＤ１を送信させて記憶部２７に記憶させる（「測定結果データ取得処理」の一例）。また、処理部２６は、測定結果表示用プログラムＤｐの記述に従い、カメラ２１から出力される撮像データＤ２と、記憶部１５に記憶させた測定結果データＤ１とに基づき、測定装置１の各測定用センサ１１を介して測定された壁面Ｘａ〜Ｘｃの温度を表示する測定結果表示画面３０（図３，４参照）を表示部２５に表示させる「測定結果表示処理」を実行する。なお、「測定結果表示処理」の具体的な手順や、測定結果表示画面３０の画面構成については、後に、図面を参照しつつ詳細に説明する。
【００４０】
さらに、処理部２６は、カメラ２１と相俟って「位置検出部」および「姿勢検出部」を構成し、カメラ２１から出力された撮像データＤ２を対象とする画像解析処理によって「測定対象」に設置されている測定用センサ１１に対する携帯情報端末２の位置の変化や姿勢の変化を検出する。また、処理部２６は、Ｇセンサ２２と相俟って「姿勢検出部」を構成し、Ｇセンサ２２から出力された加速度データＤ３に基づいて「測定対象」に設置されている測定用センサ１１に対する携帯情報端末２の姿勢の変化を検出する。さらに、処理部２６は、測定結果表示画面３０を表示させるための表示用データや識別符号特定用データＤｘなどの各種のデータに基づいて結果報告用データＤ４を生成し、生成した結果報告用データＤ４を通信部２３ｂからデータサーバ３に出力して記録させる（「画面データ送信処理」の一例）。
【００４１】
記憶部２７は、「記憶部」の一例であって、インストールされた測定結果表示用プログラムＤｐを記憶すると共に、後述するように居室Ｘ（壁面Ｘａ〜Ｘｃ）を撮像した撮像データＤ２（「測定対象を示す測定対象像の画像データ」の一例）、処理部２６によって生成される識別符号特定用データＤｘおよび結果報告用データＤ４、並びに、測定装置１から取得した測定結果データＤ１などの各種データを記憶する。この場合、測定結果表示用プログラムＤｐや、各データＤｘ、Ｄ１，Ｄ２，Ｄ４などを記憶するための「記憶部」は、携帯情報端末２の内蔵メモリで構成された記憶部２７に限定されず、携帯情報端末２に装着された各種のリムーバブルメモリを「記憶部」として使用することもできる。
【００４２】
一方、データサーバ３は、前述したように、「第２外部装置」の一例であって、通信ネットワークＮに接続されると共に、通信ネットワークＮを介して携帯情報端末２から送信される結果報告用データＤ４を記録可能に構成されている。また、データサーバ３は、後述するように、既存のパーソナルコンピュータなどで構成される情報端末４からの要求に応じて結果報告用データＤ４を情報端末４に送信する。
【００４３】
なお、本例の測定システム１００では、測定装置１と携帯情報端末２との間で識別符号特定用データＤｘや測定結果データＤ１を直接送受信させるだけでなく、通信ネットワークＮおよびデータサーバ３を介して測定装置１と携帯情報端末２との間で両データＤｘ，Ｄ１を送受させることもでき、この際には、データサーバ３が両データＤｘ，Ｄ１を一時的に記憶する。このデータサーバ３については、測定システム１００専用のサーバーを用意して使用することもできるが、各データＤ４，Ｄｘ，Ｄ１などを記憶可能な既存のデータサーバをデータサーバ３として使用することもできる。
【００４４】
次に、測定システム１００による温度の測定処理、および測定結果の表示処理について、添付図面を参照して説明する。
【００４５】
この測定システム１００の使用に際しては、まず、「測定対象」に測定用センサ１１を設置すると共に、設置した測定用センサ１１を測定部１２に接続する作業を実施する。この際には、図２に示すように、一例として、測定装置１の本体部を居室Ｘ内に設置すると共に、前述したように、居室Ｘの壁面Ｘａ〜Ｘｃに測定用センサ１１ａ〜１１ｃをそれぞれ設置し、かつ測定用センサ１１ａ〜１１ｃを測定部１２の「ＣＨ１」〜「ＣＨ３」にそれぞれ接続する。次いで、前述したように、測定用センサ１１ａ，１１ｂのケーシングにバーコードラベルＬａ，Ｌｂをそれぞれ貼付すると共に、測定用センサ１１ｃの信号ケーブルにバーコードラベルＬｃを貼付する。続いて、図示しない操作部を操作して、各測定用センサ１１ａ〜１１ｃを使用した測定処理の条件を設定する。この際には、一例として、測定開始を指示されてから測定終了を指示されるまで、１秒間隔で温度を測定するように設定する。
【００４６】
次いで、携帯情報端末２を操作して識別符号特定用データＤｘを生成する。具体的には、携帯情報端末２において測定結果表示用プログラムＤｐを起動させ、図示しない設定用画面を表示部２５に表示させた状態において、測定用センサ１１ａに貼付したバーコードラベルＬａの「識別符号」を「ＣＨ１（測定用センサ１１ａを接続した測定ＣＨ）」に関連付け、測定用センサ１１ｂに貼付したバーコードラベルＬｂの「識別符号」を「ＣＨ２（測定用センサ１１ｂを接続した測定ＣＨ）」に関連付け、かつ測定用センサ１１ｃに貼付したバーコードラベルＬｃの「識別符号」を「ＣＨ３（測定用センサ１１ｃを接続した測定ＣＨ）」に関連付ける操作を行う。続いて、設定完了を指示する操作を行うことにより、処理部２６が、上記の関連付けの内容を記録し識別符号特定用データＤｘを生成して記憶部２７に記憶させる。
【００４７】
次いで、測定装置１の図示しない操作部、および携帯情報端末２の操作部２４を操作して、測定装置１の通信部１３ａと、携帯情報端末２の通信部２３ａとの間における無線通信を行うための通信確立設定（ペアリング）を行う。なお、この通信確立設定の内容については公知のため、詳細な説明を省略する。続いて、携帯情報端末２の操作部２４を操作することにより、識別符号特定用データＤｘを測定装置１に送信して記憶させる。この際に、処理部２６は、記憶部２７から識別符号特定用データＤｘを読み出すと共に、通信部２３ａを制御して測定装置１に識別符号特定用データＤｘを送信させる。これに応じて、測定装置１では、処理部１４が、通信部１３ａによって受信された識別符号特定用データＤｘを記憶部１５に記憶させる。以上により、「測定処理」の準備作業が完了する。
【００４８】
また、壁面Ｘａ〜Ｘｃの温度を測定して測定結果を表示させる際には、まず、測定装置１の図示しない操作部を操作して「測定処理」を開始させる。なお、以下に説明する「測定結果表示処理」については、「測定処理」を完了した後に、測定装置１の記憶部１５に記憶されている測定結果データＤ１に基づく測定結果を表示させることもできるが、本例では、一例として、携帯情報端末２における「測定結果表示処理」を測定装置１における「測定処理」と並行して実行する例について説明する。
【００４９】
具体的には、「測定処理」の開始を指示されたときに、処理部１４は、予め設定された測定条件に従い、測定部１２を制御して測定値データＤ０を生成させる。これに応じて、測定部１２は、各測定用センサ１１ａ〜１１ｃからのセンサ信号Ｓに基づいて測定値データＤ０を生成する処理を１秒間隔で実行し、生成した測定値データＤ０を処理部１４に順次出力する。
【００５０】
具体的には、測定部１２は、測定用センサ１１ａからのセンサ信号Ｓに基づいて測定用センサ１１ａを介して測定した温度を示す測定値データＤ０を「ＣＨ１」のデータとして生成し、測定用センサ１１ｂからのセンサ信号Ｓに基づいて測定用センサ１１ｂを介して測定した温度を示す測定値データＤ０を「ＣＨ２」のデータとして生成し、測定用センサ１１ｃからのセンサ信号Ｓに基づいて測定用センサ１１ｃを介して測定した温度を示す測定値データＤ０を「ＣＨ３」のデータとして生成して処理部１４に出力する。また、処理部１４は、測定部１２から出力された測定値データＤ０に基づいて測定結果データＤ１を生成し、生成した測定結果データＤ１を記憶部１５に順次記憶させる。
【００５１】
この際に、処理部１４は、まず、記憶部１５に記憶されている識別符号特定用データＤｘに基づき、「ＣＨ１」の測定用センサ１１（この例では、測定用センサ１１ａ）に付与されている「識別符号」、「ＣＨ２」の測定用センサ１１（この例では、測定用センサ１１ｂ）に付与されている「識別符号」、および「ＣＨ３」の測定用センサ１１（この例では、測定用センサ１１ｃ）に付与されている「識別符号」をそれぞれ特定する。
【００５２】
次いで、処理部１４は、「ＣＨ１」の測定値データＤ０の値を「ＣＨ１」の測定用センサ１１（この例では、測定用センサ１１ａ）に付与されている「識別符号」に関連付けて測定結果データＤ１を生成し、「ＣＨ２」の測定値データＤ０の値を「ＣＨ２」の測定用センサ１１（この例では、測定用センサ１１ｂ）に付与されている「識別符号」に関連付けて測定結果データＤ１を生成し、かつ「ＣＨ３」の測定値データＤ０の値を「ＣＨ３」の測定用センサ１１（この例では、測定用センサ１１ｃ）に付与されている「識別符号」に関連付けて測定結果データＤ１を生成する。これにより、「ＣＨ１」〜「ＣＨ３」の各測定ＣＨ（各測定用センサ１１ａ〜１１ｃ）の測定結果を示す測定結果データＤ１が記憶部１５に１秒間隔で順次蓄積される。
【００５３】
一方、測定装置１による上記の「測定処理」の測定結果を表示させるには、まず、「測定対象」である壁面Ｘａ〜Ｘｃが存在する居室Ｘ内において携帯情報端末２の操作部２４を操作することで測定結果表示用プログラムＤｐを起動させる。次いで、カメラ２１の画角に壁面Ｘａ〜Ｘｃが含まれるように携帯情報端末２を移動させる。この際に、処理部２６は、カメラ２１を制御して画角内の像を撮像させると共に、図３に示すように、カメラ２１から出力される撮像データＤ２の像（この例では、壁面Ｘａ〜Ｘｃが存在する居室Ｘの像ＰＸ）を測定結果表示画面３０内に表示させる。また、処理部２６は、撮像データＤ２（像ＰＸ）を画像解析処理することにより、撮像データＤ２の画像のなかにバーコードラベルＬａ〜Ｌｃの像ＰＬａ〜ＰＬｃが存在するか否かを判別する。
【００５４】
この際に、同図に示すように、測定用センサ１１ａ〜１１ｃに貼付されたバーコードラベルＬａ〜Ｌｃの像ＰＬａ〜ＰＬｃがカメラ２１の画角に含まれるように壁面Ｘａ〜Ｘｃが撮像されたときには、処理部２６は、カメラ２１からの撮像データＤ２の像のなかにバーコードラベルＬａ〜Ｌｃの像ＰＬａ〜ＰＬｃが存在すると判別する。また、処理部２６は、像ＰＬａを画像解析処理することにより、像ＰＬａのバーコードラベルＬ（この例では、バーコードラベルＬａ）によって示されている「識別符号」を特定し、像ＰＬｂを画像解析処理することにより、像ＰＬｂのバーコードラベルＬ（この例では、バーコードラベルＬｂ）によって示されている「識別符号」を特定し、かつ像ＰＬｃを画像解析処理することにより、像ＰＬｃのバーコードラベルＬ（この例では、バーコードラベルＬｃ）によって示されている「識別符号」を特定する（「第１処理」の一例）。
【００５５】
次いで、処理部２６は、識別符号特定用データＤｘに基づき、バーコードラベルＬａの像ＰＬａを中心とする所定範囲内の像（すなわち、バーコードラベルＬａが貼付された測定用センサ１１ａが設置されている壁面Ｘａの像ＰＸａ）を、像ＰＬａを画像解析処理して特定した「識別符号」が付与されている測定用センサ１１（この例では、「ＣＨ１」の測定用センサ１１ａ）が設置されている「測定対象（この例では、壁面Ｘａ）」の「測定対象像」として特定する（「第２処理」の一例）。
【００５６】
また、処理部２６は、識別符号特定用データＤｘに基づき、バーコードラベルＬｂの像ＰＬｂを中心とする所定範囲内の像（すなわち、バーコードラベルＬｂが貼付された測定用センサ１１ｂが設置されている壁面Ｘｂの像ＰＸｂ）を、像ＰＬｂを画像解析処理して特定した「識別符号」が付与されている測定用センサ１１（この例では、「ＣＨ２」の測定用センサ１１ｂ）が設置されている「測定対象（この例では、壁面Ｘｂ）」の「測定対象像」として特定する（「第２処理」の他の一例）。
【００５７】
さらに、処理部２６は、識別符号特定用データＤｘに基づき、バーコードラベルＬｃの像ＰＬｃを中心とする所定範囲内の像（すなわち、バーコードラベルＬｃが貼付された測定用センサ１１ｃが設置されている壁面Ｘｃの像ＰＸｃ）を、像ＰＬｃを画像解析処理して特定した「識別符号」が付与されている測定用センサ１１（この例では、「ＣＨ３」の測定用センサ１１ｃ）が設置されている「測定対象（この例では、壁面Ｘｃ）」の「測定対象像」として特定する（「第２処理」のさらに他の一例）。
【００５８】
また、処理部２６は、上記の「識別符号」や「測定対象像」の特定処理と並行して、測定結果データＤ１の送信を要求する送信要求信号を通信部２３ａから測定装置１に向けて送信させる。これに応じて、測定装置１では、処理部１４が記憶部１５から測定結果データＤ１を読み出し、通信部１３ａから携帯情報端末２に測定結果データＤ１を順次送信させる。また、携帯情報端末２では、処理部２６が通信部１３ａによって受信された測定結果データＤ１を記憶部１５に順次記憶させる（「測定結果データ取得処理」の一例）。
【００５９】
次いで、処理部２６は、像ＰＬａ〜ＰＬｃの画像解析処理によって特定した「識別符号」と、記憶部２７に記憶されている識別符号特定用データＤｘとに基づき、像ＰＬａの「識別符号」に対応する測定用センサ１１の測定ＣＨ（この例では、測定用センサ１１ａの「ＣＨ１」）の測定結果データＤ１、像ＰＬｂの「識別符号」に対応する測定用センサ１１の測定ＣＨ（この例では、測定用センサ１１ｂの「ＣＨ２」）の測定結果データＤ１、および像ＰＬｃの「識別符号」に対応する測定用センサ１１の測定ＣＨ（この例では、測定用センサ１１ｃの「ＣＨ３」）の測定結果データＤ１をそれぞれ特定する。
【００６０】
続いて、処理部２６は、カメラ２１からの撮像データＤ２に基づく居室Ｘの像ＰＸ（壁面Ｘａ〜Ｘｃの像ＰＸａ〜ＰＸｃ）を測定結果表示画面３０内に表示させた状態を維持しつつ、各測定結果データＤ１に基づき、図４に示すように、像ＰＬａを画像解析処理して特定した「識別符号」が付与されている測定用センサ１１による「測定結果」（この例では、「ＣＨ１」の測定結果データＤ１の値）を示す測定結果表示３１ａを壁面Ｘａの像ＰＸａに対応させて測定結果表示画面３０内に表示させる（「第３処理」の一例）。この際に、処理部２６は、壁面Ｘａの像ＰＸａにおけるバーコードラベルＬａの像ＰＬａの位置（図３参照）に測定結果表示３１ａを表示させる（「識別符号表示の位置に対応させて測定結果を表示させる」との処理の一例）。
【００６１】
また、処理部２６は、図４に示すように、像ＰＬｂを画像解析処理して特定した「識別符号」が付与されている測定用センサ１１による「測定結果」（この例では、「ＣＨ２」の測定結果データＤ１の値）を示す測定結果表示３１ｂを壁面Ｘｂの像ＰＸｂに対応させて測定結果表示画面３０内に表示させる（「第３処理」の他の一例）。この際に、処理部２６は、壁面Ｘｂの像ＰＸｂにおけるバーコードラベルＬｂの像ＰＬｂの位置（図３参照）に測定結果表示３１ｂを表示させる（「識別符号表示の位置に対応させて測定結果を表示させる」との処理の他の一例）。
【００６２】
さらに、処理部２６は、図４に示すように、像ＰＬｃを画像解析処理して特定した「識別符号」が付与されている測定用センサ１１による「測定結果」（この例では、「ＣＨ３」の測定結果データＤ１の値）を示す測定結果表示３１ｃを壁面Ｘｃの像ＰＸｃに対応させて測定結果表示画面３０内に表示させる（「第３処理」のさらに他の一例）。この際に、処理部２６は、壁面Ｘｃの像ＰＸｃにおけるバーコードラベルＬｃの像ＰＬｃの位置（図３参照）に測定結果表示３１ｃを表示させる（「識別符号表示の位置に対応させて測定結果を表示させる」との処理のさらに他の一例）。
【００６３】
これにより、測定結果表示画面３０を見た利用者は、壁面Ｘａ（像ＰＸａの位置）の温度が測定結果表示３１ａの温度であり、壁面Ｘｂ（像ＰＸｂの位置）の温度が測定結果表示３１ｂの温度であり、かつ壁面Ｘｃ（像ＰＸｃの位置）の温度が測定結果表示３１ｃの温度であることを直感的に認識する（以下、測定結果表示３１ａ〜３１ｃを区別しないときには「測定結果表示３１」ともいう）。この場合、「測定処理」および「測定結果表示処理」を並行して実行する本例では、測定装置１によって最新の測定結果データＤ１が１秒間隔で順次生成され、生成された測定結果データＤ１が測定装置１から携帯情報端末２に順次送信される。
【００６４】
したがって、処理部２６は、測定装置１から新たな測定結果データＤ１が送信される都度（新たな測定結果データＤ１を記憶部２７に記憶させる都度）、測定結果表示画面３０に表示させている測定結果表示３１ａ〜３１ｃの内容を、新たな測定結果データＤ１の値に対応させて測定結果表示画面３０を表示替えさせる。これにより、測定装置１による測定結果（壁面Ｘａ〜Ｘｃの温度）が１秒間隔で更新され、最新の「温度」が測定結果表示画面３０に逐次表示される。
【００６５】
また、本例の携帯情報端末２（測定結果表示用プログラムＤｐ）では、壁面Ｘａ〜Ｘｃに設置されている測定用センサ１１ａ〜１１ｃに対する携帯情報端末２の位置の変化や、測定用センサ１１ａ〜１１ｃに対する携帯情報端末２の姿勢の変化が生じたときに、その変化に応じて測定結果表示画面３０内の「測定対象像」や「測定結果（測定結果表示３１）」の大きさや表示位置が変化させられる構成が採用されている。
【００６６】
具体的には、上記の例のように、壁面Ｘａ〜Ｘｃのすべてがカメラ２１の画角に含まれるように居室Ｘを撮像したときには（図３参照）、壁面Ｘａ〜Ｘｃの像ＰＸａ〜ＰＸｃと測定結果表示３１ａ〜３１ｃとが測定結果表示画面３０内に表示される（図４参照）。この状態から、一例として、カメラ２１を壁面Ｘｃ（測定用センサ１１ｃ）に向けたまま、図３に一点鎖線で示す範囲がカメラ２１の画角となるように壁面Ｘｃに接近することで、測定結果表示画面３０内に壁面Ｘｃの像ＰＸｃが大きく表示される状態となったときに、処理部２６は、カメラ２１からの撮像データＤ２に基づき、携帯情報端末２が壁面Ｘｃ（バーコードラベルＬｃが貼付されたている測定用センサ１１ｃ）に接近するようにして壁面Ｘｃに対する携帯情報端末２の位置が変化したと特定する（「位置検出部によって位置の変化が検出されたとき」との状態の一例）。
【００６７】
この際に、処理部２６は、検出した位置の変化に対応させて（具体的には、カメラ２１から出力される撮像データＤ２に応じて）、図４に一点鎖線で示す範囲を測定結果表示画面３０の全域に拡大して表示させることにより、壁面Ｘｃの像ＰＸｃ、および壁面Ｘｃに設置されている測定用センサ１１ｃの測定結果示す測定結果データＤ１（「ＣＨ３」の測定結果データＤ１）に基づく測定結果表示３１ｃを大きく表示させる。これにより、壁面Ｘｃに向かって移動したときに、測定結果表示画面３０の表示が、壁面Ｘｃに近付くほど徐々に大きくなり、測定結果表示画面３０を見ている利用者に対して、壁面Ｘｃと携帯情報端末２との距離に応じた自然な像（像ＰＸｃや測定結果表示３１ｃ）を視認させることが可能となる。
【００６８】
また、図４に一点鎖線で示す範囲が画角となるようにカメラ２１を壁面Ｘｃに向けた状態から、図３に矢印Ａで示すように携帯情報端末２（カメラ２１）を左下に向けて傾け、同図に二点鎖線で示す範囲がカメラ２１の画角となって、測定結果表示画面３０内に壁面Ｘｃの像ＰＸｃが大きく表示される状態となったときに、処理部２６は、カメラ２１からの撮像データＤ２の画像解析処理により、携帯情報端末２が左下に向けて傾けられた（壁面Ｘｃや壁面Ｘｂに対する携帯情報端末２の姿勢が変化した）と特定する（「姿勢検出部によって姿勢の変化が検出されたとき」との状態の一例）。
【００６９】
この際に、処理部２６は、検出した姿勢の変化に対応させて（具体的には、カメラ２１から出力される撮像データＤ２に応じて）、図４に二点鎖線で示す範囲を測定結果表示画面３０の全域に拡大して表示させることにより、壁面Ｘｂの像ＰＸｂ、および壁面Ｘｂに設置されている測定用センサ１１ｂの測定結果示す測定結果データＤ１（「ＣＨ２」の測定結果データＤ１）に基づく測定結果表示３１ｂを大きく表示させる。これにより、壁面Ｘｂに向けて携帯情報端末２を傾けたときに、測定結果表示画面３０の表示が、携帯情報端末２の傾きに応じて徐々に変化し、測定結果表示画面３０を見ている利用者に対して、壁面Ｘｂに対する携帯情報端末２の姿勢の変化に応じた自然な像（像ＰＸｂや測定結果表示３１ｂ）を視認させることが可能となる。
【００７０】
この場合、本例では、カメラ２１によって撮像された撮像データＤ２に基づく壁面Ｘａ〜Ｘｃ等を「測定対象像」として測定結果表示画面３０内に表示させているが、このような「測定対象像」に代えて、描画によって生成した「測定対象像」（居室Ｘの壁面Ｘａ〜Ｘｃを描いた像）を測定結果表示画面３０に表示させることもできる（図示せず）。
【００７１】
このような「測定対象像」を測定結果表示画面３０内に表示させるときには、Ｇセンサ２２からの加速度データＤ３に基づき、「測定対象（壁面Ｘａ〜Ｘｃ）」に対する携帯情報端末２の位置の変化や姿勢の変化を検出し、検出した結果に応じて「測定対象像」や「測定結果（測定結果表示３１）」の大きさおよび表示位置を変化させればよい（図示せず）。なお、カメラ２１からの撮像データＤ２に基づく「測定対象像」を測定結果表示画面３０内に表示させる場合においても、Ｇセンサ２２からの加速度データＤ３に基づき、「測定対象（壁面Ｘａ〜Ｘｃ）」に対する携帯情報端末２の位置の変化や姿勢の変化を検出して「測定対象像」や「測定結果（測定結果表示３１）」の大きさおよび表示位置を変化させてもよい。
【００７２】
一方、本例の測定システム１００（携帯情報端末２および測定結果表示用プログラムＤｐ）では、測定結果表示画面３０に壁面Ｘａ〜Ｘｃの像ＰＸａ〜ＰＸｃや測定結果表示３１ａ〜３１ｃを表示させているとき、すなわち、測定対象の壁面Ｘａ〜Ｘｃに設置した測定用センサ１１ａ〜１１ｃに貼付されているバーコードラベルＬａ〜Ｌｃを撮像可能な場所に位置しているときに、携帯情報端末２の操作部２４を操作して、結果報告用データＤ４を生成し、生成した結果報告用データＤ４をデータサーバ３に送信して記録させることができるように構成されている。
【００７３】
具体的には、一例として、図４に示すように、壁面Ｘａ〜Ｘｃの像ＰＸａ〜ＰＸｃと測定結果表示３１ａ〜３１ｃとが測定結果表示画面３０内に表示されている状態において結果報告用データＤ４の生成を指示したときに、処理部２６は、測定結果表示用プログラムＤｐの記述に従い、測定結果表示画面３０のハードコピー（「測定結果表示画面の画面データ」の一例）を生成すると共に、生成したハードコピーと、利用者によって予め入力された測定環境に関する情報とに基づき、図５に示す測定結果報告書４０を表示（または印刷）可能な結果報告用データＤ４を生成して記憶部１５に記憶させる。また、処理部２６は、通信部２３ｂを制御することにより、記憶部１５に記憶させた結果報告用データＤ４を、通信ネットワークＮを介してデータサーバ３に向けて送信させる。これにより、データサーバ３に結果報告用データＤ４が記録される。
【００７４】
この場合、上記の測定結果報告書４０は、結果報告用データＤ４に基づいて情報端末４などの各種電子端末の表示画面に表示させたり、情報端末４などの電子端末に接続された図示しないプリンタによって印刷されたりする書面であって、一例として、同図に示すように、測定装置１による「測定処理」のタイトル４１と、上記のハードコピーに基づく測定結果４２と、測定装置１による「測定処理」の諸条件を示す測定条件情報４３とが予め規定された書式で並べられている。したがって、データサーバ３に記録された結果報告用データＤ４を情報端末４などに受信して測定結果報告書４０を表示（または印刷）することにより、測定装置１による「測定処理」の結果（携帯情報端末２によって表示させた「測定結果」を含む情報）を、情報端末４などにおいて取得することが可能となる。
【００７５】
このように、この携帯情報端末２では、処理部２６が、「測定結果表示処理」において、撮像データＤ２を画像解析処理してバーコードラベルＬの「識別符号」を特定する「第１処理」と、特定した「識別符号」が付与されている測定用センサ１１が設置された「測定対象」を識別符号特定用データＤｘに基づいて特定する「第２処理」と、「測定対象（本例では、壁面Ｘａ〜Ｘｃ）」を示す「測定対象像（本例では、像ＰＸａ〜ＰＸｃ）」を測定結果表示画面３０に表示させると共に、測定結果データＤ１に基づき、「第１処理」によって特定した「識別符号」が付与されている測定用センサ１１による測定結果の測定結果表示３１を、「第２処理」によって特定した「測定対象」の「測定対象像」に対応させて測定結果表示画面３０に表示させる「第３処理」とをこの順で実行する。
【００７６】
また、この測定システム１００では、上記の携帯情報端末２と、測定用センサ１１を介して「測定対象」の物理量（本例では、「温度」）を測定して測定結果データＤ１を生成し、生成した測定結果データＤ１を測定用センサ１１に配設されているバーコードラベルＬの「識別符号」に関連付けて出力する測定装置１とを備えて構成されている。
【００７７】
さらに、この測定結果表示用プログラムＤｐでは、「測定結果表示処理」として、バーコードラベルＬが配設された測定用センサ１１を撮像した撮像データＤ２を画像解析処理してバーコードラベルＬの「識別符号」を特定する「第１処理」と、特定された「識別符号」が付与されている測定用センサ１１が設置された「測定対象」を識別符号特定用データＤｘに基づいて特定する「第２処理」と、「測定対象」を示す「測定対象像」を測定結果表示画面３０に表示させると共に、測定結果データＤ１に基づき、「第１処理」によって特定された「識別符号」が付与されている測定用センサ１１の測定結果を示す測定結果表示３１を、「第２処理」によって特定された「測定対象」の「測定対象像」に対応させて測定結果表示画面３０に表示させる「第３処理」とを携帯情報端末２の処理部２６に実行させる手順が記録されている。
【００７８】
したがって、この測定システム１００、携帯情報端末２および測定結果表示用プログラムＤｐによれば、測定結果表示画面３０に表示されている各測定結果表示３１が、いずれの「測定対象」についての測定結果を示しているかを確実かつ容易に認識させることができる。これにより、この測定システム１００、携帯情報端末２および測定結果表示用プログラムＤｐによれば、この種の「測定装置」や「測定結果表示装置」の操作に不慣れな利用者であっても、各「測定対象」についての測定結果を確実かつ容易に把握することができる。
【００７９】
また、この携帯情報端末２によれば、「測定結果表示処理」において、測定用センサ１１に対する携帯情報端末２の位置の変化が検出されたときに、検出された位置の変化に対応させて「測定対象像」の大きさを変化させると共に、測定用センサ１１に対する携帯情報端末２の姿勢の変化が検出されたときに、検出された姿勢の変化に対応させて「測定対象像」の表示位置を変化させることにより、例えば、測定結果表示画面３０内の像ＰＸ等を拡大・縮小させたりスクロールさせたりする操作（測定結果表示画面３０に対するピンチイン操作、ピンチアウト操作およびスライド操作等）を行うことなく、バーコードラベルＬが貼付された測定用センサ１１に対して携帯情報端末２を接近または離間させたり、測定用センサ１１に対する携帯情報端末２の姿勢（向き等）を変更したりするだけで、測定用センサ１１（バーコードラベルＬ）に対する位置や姿勢の変化に対応して測定結果表示画面３０内の像ＰＸａ〜ＰＸｃや測定結果表示３１ａ〜３１ｃの大きさ、および表示位置を変化させることができるため、恰も、測定結果表示画面３０内に現実の壁面Ｘａ〜Ｘｃや測定用センサ１１が存在しているかのような極く自然な感覚で測定結果表示画面３０内の壁面Ｘａ〜Ｘｃの像ＰＸａ〜ＰＸｃや測定結果表示３１ａ〜３１ｃを拡大・縮小させたり移動させたりすることができる。したがって、この種の装置の操作に不慣れな利用者であっても、一層確実、かつ一層容易に測定結果を得ることができる。
【００８０】
さらに、この携帯情報端末２によれば、「測定結果表示処理」において、「測定対象像」におけるバーコードラベルＬの位置に対応させて測定結果表示画面３０に測定結果の測定結果表示３１を表示させることにより、「測定対象」と、その「測定対象」についての「測定結果」との関係を誤認させることなく、各「測定対象」についての「測定結果」を直感的に把握させることができる。
【００８１】
また、この携帯情報端末２によれば、「測定結果表示処理」において、処理部２６が測定結果データＤ１を測定装置１から送信させて取得する「測定結果データ取得処理」を実行することにより、例えば、「測定対象」の数が多数で、測定結果データＤ１が多数存在する場合であっても、「測定結果表示処理」に際して、必要な測定結果データＤ１を測定装置１から取得して記憶部２７に記憶させればよいため、携帯情報端末２の記憶部２７における貴重な記憶領域が、「測定結果表示処理」において使用することのない多数の測定結果データＤ１によって占有されて、他の各種データを記憶可能な記憶領域が不足する事態を回避することができる。
【００８２】
さらに、この携帯情報端末２によれば、処理部２６が、「測定結果」を「測定対象像」に対応させて表示させた測定結果表示画面３０の画面データを含む結果報告用データＤ４を生成すると共に通信部２３ｂを制御して結果報告用データＤ４をデータサーバ３に向けて送信させる「画面データ送信処理」を実行することにより、測定用センサ１１に貼付されているバーコードラベルＬａ〜Ｌｃの像ＰＬａ〜ＰＬｃを撮像可能な場所、すなわち、測定用センサ１１が設置されている壁面Ｘａ〜Ｘｃ（測定対象）が存在する「測定処理」の現場において、携帯情報端末２の測定結果表示画面３０に表示させた「測定結果」と同様の情報を表示（または印刷）し得る結果報告用データＤ４を生成することができるため、「測定処理」から、「測定結果」を把握可能な情報（結果報告用データＤ４）の生成作業までの一連の作業のすべて測定現場において実行することができる。
【００８３】
なお、「測定結果表示装置」および「測定システム」の構成や、「測定結果表示用プログラム」の処理内容については、上記の例に限定されない。例えば、「物理量」の一例である「温度」を測定して測定結果を表示する例について説明したが、「温度」に代えて、「電流値、電圧値、抵抗値、電力値、位相、湿度、歪み、輝度（光度）、照度、雨量および流量」などの各種の「物理量」を測定して測定結果を表示することもできる。
【００８４】
また、測定装置１から携帯情報端末２に測定結果データＤ１を送信させ、携帯情報端末２において、測定装置１から送信された測定結果データＤ１に基づく「測定結果」を表示させる例について説明したが、例えば、測定装置１において測定結果データＤ１を記録したリムーバブルメディア等を携帯情報端末２に装着することにより、「測定結果表示処理」に際して測定結果データＤ１を取得する「測定結果データ取得処理」を不要とすることもできる。
【符号の説明】
【００８５】
１００  測定システム
１  測定装置
２  携帯情報端末
３  データサーバ
４  情報端末
１１ａ，１１ｂ・・  測定用センサ
１２  測定部
１３ａ，１３ｂ，２３ａ，２３ｂ  通信部
１４，２６  処理部
１５，２７  記憶部
２１  カメラ
２２  Ｇセンサ
２４  操作部
２５  表示部
３０  測定結果表示画面
３１ａ〜３１ｃ  測定結果表示
４０  測定結果報告書
４２  測定結果
Ｄ０  測定値データ
Ｄ１  測定結果データ
Ｄ２  撮像データ
Ｄ３  加速度データ
Ｄ４  結果報告用データ
Ｄｐ  測定結果表示用プログラム
Ｄｘ  識別符号特定用データ
Ｌａ〜Ｌｃ  バーコードラベル
Ｎ  通信ネットワーク
ＰＬａ〜ＰＬｃ，ＰＸ，ＰＸａ〜ＰＸｃ  像
Ｓ  センサ信号
Ｘ  居室
Ｘａ〜Ｘｃ  壁面
【図１】
2015031681.tif 000003
【図２】
2015031681.tif 000004
【図３】
2015031681.tif 000005
【図４】
2015031681.tif 000006
【図５】
2015031681.tif 000007